(57)【要約】【課題】操作部材の操作感を悪くすることを防止でき、また、防水対策を安価な構成にて達成することができるようにする。【解決手段】パネル部材３６の裏側に配設された基板支持部材５４に、ダイヤル４８を囲むように囲い壁５８を設けると共に、この囲い壁５８の内側の下部に位置させて排水口７２を設ける。パネル部材３６の開口部４５の内周部とダイヤル４８の外周部との間の隙間からパネル部材３６の裏側へ水が浸入した場合、その水は、囲い壁５８により排水口７２へ導かれ、その排水口７２から基板支持部材５４の裏側へ排出される。【選択図】図１
2011136221.tif 000002
【特許請求の範囲】
【請求項１】
洗濯機本体に設けられ、開口部を有するパネル部材と、
このパネル部材の裏側に配設された基板支持部材と、
この基板支持部材に支持された配線基板と、
前記開口部にこれを貫通するように設けられた操作部材と、
前記配線基板に設けられ、前記操作部材によって操作される電装品と、
前記基板支持部材に前記操作部材及び前記電装品を囲むように設けられた囲い壁と、
前記基板支持部材において前記囲い壁の内側に位置させて設けられた排水口とを備え、
前記開口部の内周部と前記操作部材の外周部との間の隙間から前記パネル部材の裏側へ浸入した水を、前記排水口から前記基板支持部材の裏側へ排出する構成とし、
前記基板支持部材は、前記囲い壁よりも内側に位置させて前記電装品を囲むように設けられた第２の囲い壁と、この第２の囲い壁の内側に位置させて設けられた第２の排水口とを備え、
前記操作部材の内側に設けられた第２の操作部材と、この第２の操作部材の裏側に前記第２の囲い壁を前記開口部側から覆うように設けられたカバー部材とを備え、
前記操作部材の内周部と前記第２の操作部材の外周部との間の隙間から前記操作部材の裏側へ浸入した水を、前記カバー部材の外面を介して前記囲い壁と前記第２の囲い壁との間の前記排水口から前記基板支持部材の裏側へ排出する構成としたことを特徴とする洗濯機。
【請求項２】
配線基板には、囲い壁の外側に配置された第１の配線基板と、第２の囲い壁の内側に配置された第２の配線基板とがあり、これら第１の配線基板と第２の配線基板との間を電気的に接続する電線を、第２の排水口を通して配線するようにしたことを特徴とする請求項１記載の洗濯機。
【請求項３】
電装品は操作部材の回転操作により回転部が回転操作されるもので、前記操作部材と前記電装品の回転部との間に回転伝達部材を備え、この回転伝達部材と前記操作部材とを、爪による係合と、嵌合凸部とこれと嵌合する嵌合凹部との嵌合とにより連結する構成としたことを特徴とする請求項１記載の洗濯機。
【請求項４】
基板支持部材は、防湿処理される配線基板を囲む壁を有し、この壁に、切離可能な薄肉部を設けたことを特徴とする請求項１記載の洗濯機。
【請求項５】
操作部材の内部に発光素子を設けたことを特徴とする請求項１記載の洗濯機。
【発明の詳細な説明】
【技術分野】
【０００１】
本発明は、電装品を操作する操作部材を、パネル部材の開口部を貫通するように設けた構成の洗濯機に関する。
【背景技術】
【０００２】
この種の従来構成の例を図１０及び図１１に示す。まず、図１０に示す第１の従来例は、次のような構成となっている。洗濯機本体に設けられるパネル部材１には開口部１ａが形成され、パネル部材１の裏側には、配線基板２を支持する基板支持部材３が配設されている。配線基板２上には、例えばタイマーからなる電装品４が配設されていて、この電装品４は、開口部１ａを貫通するように設けられた操作部材５により回転操作される構成となっている。そして、開口部１ａの内周部と操作部材５の外周部との間には、防水用のシール部材６が設けられていて、それら開口部１ａの内周部と操作部材５の外周部との間から配線基板２側へ水が浸入することを防止する構成となっている。
【０００３】
一方、図１１に示す第２の従来例は、電装品７として防水タイプの独立した構成のものを使用し、この電装品７を、パネル部材１の裏側にねじ止めした構成としている（例えば、特許文献１参照）。
【先行技術文献】
【特許文献】
【０００４】
【特許文献１】特開平４−３６７６９６号公報
【発明の概要】
【発明が解決しようとする課題】
【０００５】
第１の従来例のものの場合、パネル部材１の開口部１ａと操作部材５との間にシール部材６を設けているので、操作部材５を操作する際の操作感を悪くするという問題点がある。また、第２の従来例のものの場合、電装品７が防水タイプとした特別なものとなり、コストが高くなるという問題点がある。
【０００６】
本発明は上記した事情に鑑みてなされたものであり、その目的は、操作部材の操作感を悪くすることを防止でき、また、防水対策を安価な構成にて達成することができる洗濯機を提供するにある。
【課題を解決するための手段】
【０００７】
上記した目的を達成するために、本発明の洗濯機は、洗濯機本体に設けられ、開口部を有するパネル部材と、このパネル部材の裏側に配設された基板支持部材と、この基板支持部材に支持された配線基板と、前記開口部にこれを貫通するように設けられた操作部材と、前記配線基板に設けられ、前記操作部材によって操作される電装品と、前記基板支持部材に前記操作部材及び前記電装品を囲むように設けられた囲い壁と、前記基板支持部材において前記囲い壁の内側に位置させて設けられた排水口とを備え、前記開口部の内周部と前記操作部材の外周部との間の隙間から前記パネル部材の裏側へ浸入した水を、前記排水口から前記基板支持部材の裏側へ排出する構成とし、
前記基板支持部材は、前記囲い壁よりも内側に位置させて前記電装品を囲むように設けられた第２の囲い壁と、この第２の囲い壁の内側に位置させて設けられた第２の排水口とを備え、
前記操作部材の内側に設けられた第２の操作部材と、この第２の操作部材の裏側に前記第２の囲い壁を前記開口部側から覆うように設けられたカバー部材とを備え、
前記操作部材の内周部と前記第２の操作部材の外周部との間の隙間から前記操作部材の裏側へ浸入した水を、前記カバー部材の外面を介して前記囲い壁と前記第２の囲い壁との間の前記排水口から前記基板支持部材の裏側へ排出する構成としたことを特徴とする。
【発明の効果】
【０００８】
本発明によれば、開口部と操作部材との間の隙間からパネル部材の裏側へ水が浸入した場合、その水は、基板支持部材に設けられた排水口から基板支持部材の裏側へ排出される構成となっているので、電装品に水が掛かることを防止できる。この場合、開口部と操作部材との間に防水用のシール部材を設ける必要がないため、操作部材の操作感を悪くすることを防止できる。また、電装品に、防水タイプのような特別なものを用いる必要がなく、防水対策を安価な構成にて達成することができる。
【図面の簡単な説明】
【０００９】
【図１】本発明の第１の実施形態を示すもので、操作パネルユニット部分の縦断側面図
【図２】ドラム式洗濯乾燥機の外観斜視図
【図３】縦断側面図
【図４】パネル部材の正面図
【図５】操作部材ユニットを組み込んだ状態での基板支持部材の斜視図
【図６】操作部材ユニットを外した状態での基板支持部材の斜視図
【図７】図５中、Ｘ−Ｘ線に沿う断面図
【図８】操作部材ユニット部分を示すもので、（ａ）は操作部材ユニット全体の斜視図、（ｂ）はダイヤルを外した状態の斜視図、（ｃ）は押釦、押圧部材及び回転伝達部材も外した状態の斜視図
【図９】本発明の参考実施形態を示す図１相当図
【図１０】第１の従来例を示す図１相当図
【図１１】第２の従来例を示す図１相当図
【発明を実施するための形態】
【００１０】
（第１の実施形態）
以下、本発明を、乾燥機能も有するドラム式洗濯機に適用した第１の実施形態を図１ないし図８を参照して説明する。
まず、図２及び図３において、洗濯機本体１１の外殻を構成する外箱１２の前面（図２及び図３の左側）のほぼ中央部には、洗濯物出入口１３が形成されていると共に、この洗濯物出入口１３を開閉する扉１４が回動可能に設けられている。外箱１２の内部には、水槽１５が防振ダンパー１６を介して配設されている。外箱１２の底部には台板１２ａが設けられている。水槽１５は、前面側が開口し、かつ後面が閉塞されたほぼ円筒状をなしていて、軸方向が横向きで、前部側が高くなるように傾斜した前上がりの傾斜状に配置されている。この水槽１５の前面の開口部は、ベローズ１７を介して洗濯物出入口１３に連通している。
【００１１】
水槽１５の内部には、ドラム１８が回転可能に配設されている。このドラム１８も前面側が開口し、かつ後面が閉塞されたほぼ円筒状をなしていて、軸方向が横向きで、前部側が高くなるように傾斜した前上がりの傾斜状に配置されている。このドラム１８には、通水及び通風が可能な孔１９が多数形成されていると共に、内周部にバッフル２０が複数個（図３には１個のみ示されている）設けられていている。ドラム１８の前面開口部は、洗濯物出入口１３に連通している。ドラム１８は、洗濯物出入口１３から投入された洗濯物を収容するようになっていて、洗濯槽と脱水槽を兼ねると共に、乾燥時の槽としても機能する。水槽１５の背面部のほぼ中央部には、ドラム駆動用のモータ２１が設けられている。このモータ２１は、外転形のＤＣブラシレスモータから構成されていて、ロータ２２に直結された回転軸２３を介してドラム１８を直接回転駆動する構成となっている。
【００１２】
水槽１５の背面から上部にかけては、乾燥機構２５が設けられている。乾燥機構２５は、水冷式の熱交換器２６と、送風機２７と、ヒータ２８を有する加熱装置２９と、水槽１５の内部と連通する循環風路３０とを備えている。この乾燥機構２５は、乾燥運転時に、水槽１５内の空気（ドラム１８内の空気）を循環風路３０を介して循環させ、その過程でヒータ２８により加熱して温風化し、その温風によりドラム１８内の洗濯物を加熱して湿気を奪い、熱交換器２６において湿気を凝縮させて除湿することにより、洗濯物を乾燥させるようになっている。
【００１３】
さて、外箱１２の前面の上部の右側には、操作パネルユニット３５が設けられている。この操作パネルユニット３５の表面を構成するパネル部材３６は、合成樹脂により形成されている。このパネル部材３６には、図４にも示すように、電源の入り、切りを行なうための電源操作部３７，３８、洗濯、洗濯及び乾燥、乾燥のみを選択する選択操作部３９，４０，４１、コース表示部４２、液晶パネル４３、洗い、すすぎ、脱水、乾燥をマニュアルで設定するための設定ボタン４４ａ〜４４ｄなどが設けられている。また、このパネル部材３６には、選択操作部３９，４０，４１とコース表示部４２との間に位置させて、円形の開口部４５（図１参照）が形成されていて、この開口部４５内に、操作部材ユニット４６が設けられている。操作部材ユニット４６は、円筒状をなし回転操作が可能で、操作部材を構成するダイヤル４８と、このダイヤル４８の内側に押圧操作可能に配設され、第２の操作部材を構成する押釦４９とを備えている。
【００１４】
この場合、ダイヤル４８は、電装品であるロータリエンコーダ５０を操作するためのものであり、そのロータリエンコーダ５０の回転操作に基づきコース表示部４２の表示が順次切り替わる構成となっている。また、押釦４９は、電装品であるタクトスイッチ５１を操作するためのものであり、スタートと一時停止の操作を兼ねている。操作パネルユニット３５の下側には、前記扉１４を開放させるための扉開放ボタン５２が設けられている。また、パネル部材３６において、操作部材ユニット４６の下側でかつ扉開放ボタン５２の近傍に位置させて、ドアロック表示部５３が設けられている。
【００１５】
パネル部材３６は、図１に示すように下部が前方へ出るように傾斜していて、その裏側に合成樹脂製の基板支持部材５４がねじ５５により取付固定されている。この基板支持部材５４の上面側の周囲部には、図５及び図６に示すように壁５６が枠状に設けられていて、その内部に第１の配線基板５７が支持された状態で配設されている。また、基板支持部材５４においてパネル部材３６の開口部４５に対応する部分には、操作部材ユニット４６（ダイヤル４８及びロータリエンコーダ５０）を囲うように囲い壁５８が設けられている。この囲い壁５８は、下部側が開口部４５に沿うような円弧状をなし、上部が上記壁５６に連結されていて、前方から見てほぼＵ字形に形成されている。
【００１６】
囲い壁５８の上面側の開口部５８ａは、パネル部材３６の開口部４５よりも大きくなるように形成されていて、パネル部材３６の開口部４５の周縁部が、囲い壁５８の開口部５８ａより内側へ突出している。囲い壁５８の下部側の上端部にはシート状の防水部材５９が接着されていて、この防水部材５９が、囲い壁５８の上端部とパネル部材３６の裏面との間に挟まれた状態となっている。
【００１７】
また、基板支持部材５４において、囲い壁５８の内側に位置させて、短円筒状をなす第２の囲い壁６０が設けられていて、この第２の囲い壁６０の内側に第２の配線基板６１が支持された状態で配設されている。この第２の配線基板６１上には、図６及び図８（ｃ）にも示すように、ほぼ中央部に上記タクトスイッチ５１が設けられ、その周囲にロータリエンコーダ５０が設けられている。ロータリエンコーダ５０の固定部５０ａは第２の配線基板６１に固定され、回転部５０ｂはその固定部５０ａに対して回転可能に設けられている。
【００１８】
上記押釦４９の裏側には弾性変形が可能な押圧部材６５が設けられていて、押釦４９の押圧操作に伴い、その押圧部材６５を介してタクトスイッチ５１が押圧操作されるようになっている。ロータリエンコーダ５０の回転部５０ｂの外周部には、カバー部材を兼ねる回転伝達部材６６が回転部５０ｂと一体に回転するように取り付けられている。この回転伝達部材６６は、第２の囲い壁６０を開口部４５側から覆う覆い部６６ａを有していて、その覆い部６６ａの後端部が第２の囲い壁６０の外側に配置されている。
【００１９】
回転伝達部材６６の外周部には、図８（ｂ）に示すように、複数個の係合孔６７と、複数個の嵌合凹部６８が形成されている。上記ダイヤル４８の後ろ側には、複数個の係合爪６９と、複数個の嵌合凸部７０とが設けられている。そして、ダイヤル４８と回転伝達部材６６とは、図８（ａ）に示すように、各係合爪６９と各係合孔６７とを係合させると共に、各嵌合凸部７０と各嵌合凹部６８とを嵌合させることにより、一体に回転するように連結されている。したがって、ダイヤル４８が回転操作されると、その回転が回転伝達部材６６を介してロータリエンコーダ５０の回転部５０ｂに伝達されて当該回転部５０ｂが回転する構成となっている。
【００２０】
上記基板支持部材５４において、囲い壁５８の内側のうちの下部、換言すれば囲い壁５８と第２の囲い壁６０との間のうちの下部に位置させて、貫通孔からなる排水口７２が形成されている。また、基板支持部材５４において、第２の囲い壁６０の内側のうちの下部に位置させて、貫通孔からなる第２の排水口７３が形成されている。
第１の配線基板５７において、上記ドアロック表示部５３の裏側に位置させて、ＬＥＤからなる表示素子７４がＬＥＤ支え７５を介して設けられている。なお、第１の配線基板５７には、上記電源操作部３７，３８、選択操作部３９，４０，４１、コース表示部４２、設定ボタン４４ａ〜４４ｄの裏側に位置させて、図示はしないが、それらに対応するスイッチや表示素子が実装されていると共に、液晶パネル４３などが実装されている。
【００２１】
第２の囲い壁６０の内側に配置された第２の配線基板６１と、囲い壁５８の外側に配置された第１の配線基板５７との間を電気的に接続する電線７６は、図１、図５及び図６に示すように、第２の排水口７３を通り、基板支持部材５４の下部を通して配線している。基板支持部材５４の外周部の壁５６において、操作部材ユニット４６の近傍の下部には、図５ないし図７に示すように、他の部分より厚さを薄くした薄肉部７７が形成されている。
【００２２】
ここで、基板支持部材５４に配設される第１の配線基板５７は、スイッチなどの電装品を実装した状態で、防湿用樹脂７８（図７の二点鎖線参照）により防湿処理される。そして、防湿処理後、壁５６から上記薄肉部７７部分を切り離すことにより、壁５６の下部に排水用の開口部を形成できる構成となっている。なお、基板支持部材５４の裏側には、図３に示すように、裏カバー７９が設けられている。
【００２３】
上記構成において、例えば操作パネルユニット３５のパネル部材３６部分に水が掛かるなどして、開口部４５の内周部とダイヤル４８の外周部との間の隙間からパネル部材３６の裏側へ水が浸入した場合、その水は、囲い壁５８により排水口７２へ導かれ、その排水口７２から基板支持部材５４の裏側へ排出される（図１の点線矢印Ａ１参照）。このとき、囲い壁５８により当該囲い壁５８の内側と外側とが仕切られているから、開口部４５の内周部とダイヤル４８の外周部との間の隙間からパネル部材３６の裏側へ浸入した水が、囲い壁５８の外側に配置された第１の配線基板５７側へ浸入することが阻止される。また、囲い壁５８の内側には回転伝達部材６６及び第２の囲い壁６０があり、これら回転伝達部材６６及び第２の囲い壁６０が電装品であるロータリエンコーダ５０、タクトスイッチ５１及び第２の配線基板６１を囲むように位置しているので、上記隙間からパネル部材３６の裏側へ浸入した水が、それらロータリエンコーダ５０、タクトスイッチ５１及び第２の配線基板６１に掛かることも防止できる。
【００２４】
また、仮にダイヤル４８の内周部と押釦４９の外周部との間の隙間から押釦４９の裏側へ水が浸入したとしても、その水は、回転伝達部材６６の覆い部６６ａにより排水口７２へ導かれ、その排水口７２から基板支持部材５４の裏側へ排出されるので、この場合もロータリエンコーダ５０、タクトスイッチ５１及び第２の配線基板６１に掛かることを防止できる。
なお、排水口７２から基板支持部材５４の裏側へ排出された水は、図３に点線矢印Ａ２で示すように、裏カバー７９、ベローズ１７の外周部を通り、水槽１５の下部外面から台板１２ａ側へ落下して排出される。
【００２５】
上記した実施例においては、次のような作用効果を得ることができる。まず、パネル部材３６の開口部４５の内周部とダイヤル４８の外周部との間の隙間からパネル部材３６の裏側へ水が浸入した場合、その水は、基板支持部材５４に設けられた排水口７２から基板支持部材５４の裏側へ排出される構成となっているので、第１及び第２の配線基板５７，６１、ロータリエンコーダ５０、タクトスイッチ５１などに水が掛かることを防止できる。この場合、開口部４５とダイヤル４８との間に防水用のシール部材を設ける必要がないため、ダイヤル４８の操作感を悪くすることを防止できる。また、電装品であるロータリエンコーダ５０やタクトスイッチ５１に、防水タイプのような特別なものを用いる必要がなく、防水対策を安価な構成にて達成することができる。
【００２６】
ダイヤル４８の下側に位置させて囲い壁４８及び排水口７２を形成して、その排水口７２から排水可能な構成としているので、ダイヤル４８の下方近傍に、表示素子７４を設けることができる。
【００２７】
基板支持部材５４において、囲い壁５８よりも内側に位置させて、電装品であるロータリエンコーダ５０やタクトスイッチ５１を囲むように設けられた第２の囲い壁６０と、この第２の囲い壁６０の内側に位置させて設けられた第２の排水口７３とを備えた構成としているので、万一第２の囲い壁６０の内側に水が浸入したとしても、その水を第２の排水口７３から基板支持部材５４の裏側へ排出させることができる。
【００２８】
第２の囲い壁６０の内側に配置された第２の配線基板６１と、囲い壁の５８の外側に配置された第１の配線基板５７との間を電気的に接続する電線７６を、第２の排水口７３を通り、基板支持部材５４の下部を通して配線していて、電線７６を、第２の配線基板６１から下方に向かって配線することができる。したがって、水がその電線７６を伝って第２の配線基板６１側へ浸入することを防止できる。
【００２９】
押釦４９の裏側に第２の囲い壁６０を開口部４５側から覆うように設けられたカバー部材を兼ねる回転伝達部材６６を備えているので、ダイヤル４８の内周部と押釦４９の外周部との間の隙間から押釦４９の裏側へ水が浸入したとしても、その水を、回転伝達部材６６の外面を介して囲い壁５８と第２の囲い壁６０との間の排水口７２から基板支持部材５４の裏側へ排出することができる。
【００３０】
ダイヤル４８と、ロータリエンコーダ５０の回転部５０ｂと一体に回転する回転伝達部材６６とを、係合爪６９と係合孔６７による係合と、嵌合凸部７０とこれと嵌合する嵌合凹部６８との嵌合とにより連結する構成としたので、軸方向のがたつきと、回転方向（円周方向）のがたつきとを抑えることができる。
基板支持部材５４は、防湿用樹脂７８により防湿処理される第１の配線基板５７を囲む壁５６を有していて、この壁５６の下部に、切離可能な薄肉部７７を形成しているので、防湿処理後、その薄肉部７７を壁５６から切り離すことにより、そこに排水用の開口部を形成することができる。
【００３１】
（参考実施形態）
図９は本発明の参考実施形態を示したものであり、この参考実施形態は上記した第１の実施形態とは次の点が異なっている。
すなわち、操作部材ユニット８５において、第２の配線基板６１のほぼ中央部には、タクトスイッチ５１に代えて、ＬＥＤからなる発光素子８６を設けている。ダイヤル４８の内側には、押釦４９に代えて、透光性を有する透光部材８７を設けていると共に、この透光部材８７の裏側に、前上方に向けて拡開したＬＥＤ支え８８が設けられている。この場合、透光部材８７は、ＬＥＤ支え８８を介して第２の配線基板６１に固定されている。
上記構成において、発光素子８６が点灯すると、その発光素子８６により透光部材８７が照明される。
【００３２】
（他の実施形態）
本発明は、上記した各実施形態にのみ限定されるものではなく、次のように変形または拡張できる。
ドラム１８の軸方向が横方向を指向したドラム式洗濯機に限られず、洗濯槽及び脱水槽を兼ねる回転槽の軸方向が上下方向に指向する縦軸形の洗濯機にも適用できる。
ダイヤル４８により操作される電装品としては、ロータリエンコーダ５０に限らず、タイマーでもよい。
【符号の説明】
【００３３】
図面中、１１は洗濯機本体、３５は操作パネルユニット、３６はパネル部材、４５は開口部、４６は操作部材ユニット、４８はダイヤル（操作部材）、４９は押釦（第２の操作部材）、５０はロータリエンコーダ（電装品）、５０ｂは回転部、５１はタクトスイッチ（電装品）、５４は基板支持部材、５６は壁、５７は第１の配線基板（配線基板）、５８は囲い壁、５９は防水部材、６０は第２の囲い壁、６１は第２の配線基板（配線基板）、６６は回転伝達部材（カバー部材）、６７は係合孔、６８は嵌合凹部、６９は係合爪、７０は嵌合凸部、７２は排水口、７３は第２の排水口、７６は電線、７７は薄肉部、７８は防湿用樹脂、８５は操作部材ユニット、８６は発光素子を示す。
【図１】
2011136221.tif 000003
【図２】
2011136221.tif 000004
【図３】
2011136221.tif 000005
【図４】
2011136221.tif 000006
【図５】
2011136221.tif 000007
【図６】
2011136221.tif 000008
【図７】
2011136221.tif 000009
【図８】
2011136221.tif 000010
【図９】
2011136221.tif 000011
【図１０】
2011136221.tif 000012
【図１１】
2011136221.tif 000013